(57)【特許請求の範囲】
【請求項１】
光ディスクに対してレーザ光を照射してデータを記録または再生する光ディスク装置において、
前記光ディスクに前記レーザ光を照射する光ヘッドと、
前記光ヘッドの内部に設けられ、レーザ発光素子から照射され光ディスクに反射されたレーザ光を受光する光電変換素子の出力をサンプルホールドするサンプルホールド手段と、
前記サンプルホールド手段の出力がケーブルを介して入力され、該サンプルホールド手段の出力に基づいて所定の制御信号を生成し、前記ケーブルを介して前記光ヘッドに供給するもので、前記サンプルホールド手段に前記光電変換素子の出力をサンプルホールドさせるタイミングを示す信号を生成する信号処理手段とを具備することを特徴とする光ディスク装置。
【請求項２】
前記信号処理手段は、前記レーザ発光素子に対して、記録に対応する光量のレーザ光を発生させる第１の期間と、再生に対応する光量のレーザ光を発生させる第２の期間とに交互に制御し、前記第１及び第２の期間でそれぞれ、前記サンプルホールド手段に前記光電変換素子の出力をサンプルホールドさせるタイミングを示す信号を生成することを特徴とする請求項１記載の光ディスク装置。
【請求項３】
前記信号処理手段は、前記サンプルホールド手段の出力に基づいて、前記レーザ発光素子の発生するレーザ光の光量を制御するための制御信号を生成することを特徴とする請求項１記載の光ディスク装置。
【請求項４】
前記信号処理手段は、前記サンプルホールド手段の出力に基づいて、前記光ヘッド内に設けられる対物レンズをトラッキング及びフォーカス方向に制御するための制御信号を生成することを特徴とする請求項１記載の光ディスク装置。
【請求項５】
レーザ発光素子から発生されたレーザ光を対物レンズを介して光ディスクに照射し、その反射光を光電変換素子により電気信号に変換して出力する光ヘッド装置において、
前記光ヘッド装置の外部から与えられるタイミング信号に基づいて、前記光電変換素子から出力される電気信号をサンプルホールドするサンプルホールド手段を内蔵したことを特徴とする光ヘッド装置。
【請求項６】
前記サンプルホールド手段は、
前記光ヘッド装置の外部で、前記レーザ発光素子の発生するレーザ光の光量を制御する制御信号を生成させるために、前記光電変換素子から出力される電気信号をサンプルホールドする第１のサンプルホールド回路と、
前記光ヘッド装置の外部で、前記対物レンズをトラッキング及びフォーカス方向に制御する制御信号を生成させるために、前記光電変換素子から出力される電気信号をサンプルホールドする第２のサンプルホールド回路とを備えることを特徴とする請求項５記載の光ヘッド装置。
【発明の詳細な説明】
【０００１】
【発明の属する技術分野】
この発明は、光ディスクに対してデータの記録再生を行なう光ディスク装置及び光ヘッド装置の改良に関する。
【０００２】
【従来の技術】
周知のように、例えばＣＤ（Compact Disk）−ＲＷ（Re Writable）やＣＤ−Ｒ（Recordable）等のような光ディスクに対して、データの記録再生を行なう光ディスク装置では、記録動作時、光ディスクへのデータの書き込み時に使用するレーザ光の光量の調整と、光ディスクからのデータの読み取り時に使用するレーザ光の光量の調整とが行なわれる。また、光ディスクからの反射光に基づいて、光ヘッドの対物レンズに対してトラッキングサーボ及びフォーカスサーボが施されるようになっている。
【０００３】
具体的には、光ヘッドのレーザ発光素子から、光ディスクへのデータの書き込みに対応した光量を有する記録用レーザ光と、光ディスクからのデータの読み取りに対応した光量を有する再生用レーザ光とを、交互に発生させる。そして、記録用レーザ光の発生期間には、光ディスクからの反射光量に基づいて記録用レーザ光の光量を制御することが行なわれる。
【０００４】
また、再生用レーザ光の発生期間には、光ディスクからの反射光量に基づいて再生用レーザ光の光量の制御を行なうとともに、光ディスクからの反射光に基づいてトラッキングエラー信号及びフォーカスエラー信号を生成することにより、光ヘッドの対物レンズに対してトラッキングサーボ及びフォーカスサーボを施すことが行なわれる。
【０００５】
この場合、光ヘッドは、光ディスクからの反射光を光電変換して外部に出力しているだけであって、その光電変換された電気信号は、光ディスク装置に内蔵された信号処理回路に供給されて信号処理が施される。例えば、上記した記録用レーザ光の発生期間には、光ディスクで反射された記録用レーザ光の光量に対応した電気信号が光ヘッドから出力される。
【０００６】
このとき、信号処理回路では、入力された電気信号をサンプルホールドし、その信号に基づいて、光ヘッドのレーザ発光素子が発生するレーザ光量を制御するための制御信号を生成し、光ヘッドに帰還する。これにより、光ヘッドでは、入力された制御信号に基づいてレーザ発光素子からレーザ光を発生させ、ここに、記録用レーザ光の光量制御が行なわれる。
【０００７】
また、再生用レーザ光の発生期間には、光ディスクで反射された再生用レーザ光の光量に対応した電気信号が光ヘッドから出力され、信号処理回路に供給される。このとき、信号処理回路では、入力された電気信号をサンプルホールドし、その信号に基づいて、光ヘッドのレーザ発光素子が発生するレーザ光量を制御するための制御信号を生成し、光ヘッドに帰還する。このため、光ヘッドでは、入力された制御信号に基づいてレーザ発光素子からレーザ光を発生させ、ここに、再生用レーザ光の光量制御が行なわれる。
【０００８】
一方、この再生用レーザの発生期間において、信号処理回路では、光ヘッドから供給されサンプルホールドされた電気信号に基づいて、光ヘッドの対物レンズに対するトラッキングエラー信号及びフォーカスエラー信号を生成し、光ヘッドに帰還している。これにより、光ヘッドでは、入力されたトラッキングエラー信号及びフォーカスエラー信号に基づいて、対物レンズをトラッキング方向及びフォーカス方向に制御し、ここに、トラッキングサーボ及びフォーカスサーボが行なわれる。また、信号処理回路では、同時にウォブル信号も生成する。
【０００９】
ところで、上記光ヘッドは、光ディスク装置内において、光ディスクの径方向に移動可能に支持されるものであるから、光ヘッドと光ディスク装置との電気的接続は、フレキシブルケーブルを介して行なわれている。すなわち、光ヘッド内でレーザ発光素子や光電変換素子等を設置した印刷配線基板が、光ディスク装置内で上記信号処理回路の構成された主印刷配線基板に、フレキシブルケーブルを介して接続される構成となっている。
【００１０】
このため、上記のように、記録用レーザ光及び再生用レーザ光の各発生期間に光ヘッドから出力される電気信号は、フレキシブルケーブルを介して主印刷配線基板の信号処理回路に入力され、そこでサンプルホールドされることになる。この場合、フレキシブルケーブルを伝送される電気信号は、フレキシブルケーブルが持つ浮遊容量の影響により、そのスルーレートが制限されることになる。
【００１１】
一方、光ディスクに対するデータ記録速度の高速化により、サンプリングすることが可能な時間は短くなっている。このため、現在では、サンプリングを行なうこと自体が困難な状況となってきている。
【００１２】
なお、データ伝送路における浮遊容量の影響を抑え、データ転送の高速化を図ることが記載された公知例として、例えば、特開平１０−１８８２０６号公報、特開平１１−１６１１２号公報及び特開平１１−２７３０１２号公報等に示されるものがある。
【００１３】
しかしながら、これらの公開公報には、いずれも、光ヘッドの出力をフレキシブルケーブルを介して信号処理回路に伝送し、この信号処理回路でサンプルホールドする際の問題点を解決することについては、何らの記載もなされていないものである。
【００１４】
【発明が解決しようとする課題】
そこで、この発明は上記事情を考慮してなされたもので、データ伝送路の浮遊容量の影響を受けることなく高速でのサンプルホールドを可能として、レーザ光量や対物レンズのサーボを高い信頼性を持って実現することができるようにした極めて良好な光ディスク装置及び光ヘッド装置を提供することを目的とする。
【００１５】
【課題を解決するための手段】
この発明に係る光ディスク装置は、光ディスクに対してレーザ光を照射してデータを記録または再生するものを対象としている。そして、光ディスクにレーザ光を照射する光ヘッドと、光ヘッドの内部に設けられ、レーザ発光素子から照射され光ディスクに反射されたレーザ光を受光する光電変換素子の出力をサンプルホールドするサンプルホールド手段と、サンプルホールド手段の出力がケーブルを介して入力され、該サンプルホールド手段の出力に基づいて所定の制御信号を生成し、ケーブルを介して光ヘッドに供給するもので、サンプルホールド手段に光電変換素子の出力をサンプルホールドさせるタイミングを示す信号を生成する信号処理手段とを備えるようにしたものである。
【００１６】
また、この発明に係る光ヘッド装置は、レーザ発光素子から発生されたレーザ光を対物レンズを介して光ディスクに照射し、その反射光を光電変換素子により電気信号に変換して出力するものを対象としている。そして、光ヘッド装置の外部から与えられるタイミング信号に基づいて、光電変換素子から出力される電気信号をサンプルホールドするサンプルホールド手段を内蔵するようにしたものである。
【００１７】
上記のような構成によれば、光ヘッドの内部に、該光ヘッドの出力信号をサンプルホールドして出力するサンプルホールド手段を設置するようにしたので、データ伝送路の浮遊容量の影響を受けることなく高速でのサンプルホールドを可能として、例えば、レーザ光量や対物レンズのサーボを高い信頼性を持って実現することが可能となる。
【００１８】
【発明の実施の形態】
以下、この発明の実施の形態について、図面を参照して詳細に説明する。図１は、この実施の形態で説明する光ディスク記録再生装置の概略を示している。すなわち、符号１１はＣＤ−ＲＷやＣＤ−Ｒ等の光ディスクで、光ヘッド１２によってデータの書き込みと読み取りとが行なわれる。
【００１９】
この光ヘッド１２は、レーザダイオード１３で発生されたレーザ光が、光学系１４及び対物レンズ１５を介して、光ディスク１１に照射されるようになっている。また、光ディスク１１で反射されたレーザ光は、対物レンズ１５を逆行し、光学系１４を介してフォトダイオード１６に受光されて、その光量に対応した電気信号に変換される。
【００２０】
そして、このフォトダイオード１６から出力された電気信号は、Ｉ／Ｖ変換器１７により電流／電圧変換された後、そのまま図示しないフレキシブルケーブルを介して、光ディスク記録再生装置に固定された主印刷配線基板１８に形成されている信号処理回路に供給される。
【００２１】
また、このＩ／Ｖ変換器１７の出力は、サンプルホールド回路１９を構成するスイッチ１９ａ及び保持器１９ｂを介して、主印刷配線基板１８に形成された信号処理回路に供給される。さらに、上記Ｉ／Ｖ変換器１７の出力は、サンプルホールド回路２０を構成するスイッチ２０ａ及び保持器２０ｂを介して、主印刷配線基板１８に形成された信号処理回路に供給される。
【００２２】
ここで、上記サンプルホールド回路１９，２０を構成するスイッチ１９ａ，２０ａは、上記主印刷配線基板１８の信号処理回路からフレキシブルケーブルを介して供給される切替信号に基づいて、それぞれ独立してオン状態及びオフ状態に制御される。
【００２３】
また、上記光ヘッド１２には、レーザダイオード１３を駆動するためのレーザドライバ２１が設置されている。このレーザドライバ２１は、上記主印刷配線基板１８の信号処理回路からフレキシブルケーブルを介して供給される駆動信号に基づいて、レーザダイオード１３の発光量を制御している。
【００２４】
さらに、上記光ヘッド１２には、対物レンズ１５をトラッキング方向及びフォーカス方向にそれぞれ駆動するためのアクチュエータ部２２が設置されている。このアクチュエータ部２２は、上記主印刷配線基板１８の信号処理回路からフレキシブルケーブルを介して供給される駆動信号に基づいて、対物レンズ１５をトラッキング方向及びフォーカス方向にそれぞれ駆動している。
【００２５】
ここで、上記主印刷配線基板１８には、信号処理回路として、上記Ｉ／Ｖ変換器１７から出力された電気信号を増幅する増幅器２３と、この増幅器２３の出力から光ディスク１１に記録されていた元のデータを復元する信号再生回路２４とが形成されている。
【００２６】
また、上記主印刷配線基板１８には、信号処理回路として、上記サンプルホールド回路１９でサンプルホールドされた信号から、トラッキングエラー信号及びフォーカスエラー信号を生成し、光ヘッド１２のアクチュエータ部２２に出力する、サーボ回路２５が形成されている。また、このとき、ウォブル信号も同時に再生される。
【００２７】
さらに、上記主印刷配線基板１８には、信号処理回路として、上記サンプルホールド回路２０でサンプルホールドされた信号から、レーザダイオード１３の発光量を制御するための信号を生成し、光ヘッド１２のレーザドライバ２１に出力する、レーザサーボ回路２６が形成されている。
【００２８】
ここで、上記主印刷配線基板１８には、信号処理回路として、光ディスク記録再生装置の動作を統括的に制御するためのマイクロコンピュータ２７が設置されており、上記信号再生回路２４も、このマイクロコンピュータ２７の制御に基づいて、データ復元処理を行なっている。
【００２９】
そして、上記マイクロコンピュータ２７は、記録動作が実行される際は、レーザサーボ回路２６を制御して、レーザドライバ２１に対し、レーザダイオード１３から記録用レーザ光と再生用レーザ光とを交互に発生させるように制御している。
【００３０】
また、上記主印刷配線基板１８には、信号処理回路として、切替信号発生回路２８が形成されている。この切替信号発生回路２８は、上記マイクロコンピュータ２７の制御に基づいて、記録用レーザ光及び再生用レーザ光の発生期間にそれぞれスイッチ２０ａをオンさせる切替信号を発生する。これにより、Ｉ／Ｖ変換器１７の出力がサンプルホールドされ、レーザサーボ回路２６に導かれるようになる。
【００３１】
さらに、この切替信号発生回路２８は、上記マイクロコンピュータ２７の制御に基づいて、再生用レーザ光の発生期間にスイッチ１９ａをオンさせる切替信号を発生する。これにより、Ｉ／Ｖ変換器１７の出力がサンプルホールドされ、サーボ回路２５に導かれるようになる。
【００３２】
すなわち、記録動作の実行中において、Ｉ／Ｖ変換器１７の出力は、図２（ａ）に示すように、記録用レーザ光の発生期間Ａと再生用レーザ光の発生期間Ｂとでそれぞれ異なるレベルを示している。
【００３３】
そして、記録用レーザ光の発生期間Ａで、図２（ｂ）に示すように、Ｉ／Ｖ変換器１７の出力をサンプルホールドし、このサンプルホールドされた信号に基づいて、記録用レーザ光の光量制御が行なわれる。また、再生用レーザ光の発生期間Ｂで、図２（ｃ）に示すように、Ｉ／Ｖ変換器１７の出力をサンプルホールドし、このサンプルホールドされた信号に基づいて、再生用レーザ光の光量制御が行なわれる。
【００３４】
上記した実施の形態によれば、光ヘッド１２の内部にＩ／Ｖ変換器１７からの出力信号をサンプルホールドするためのサンプルホールド回路１９，２０を設置し、このサンプルホールドされた信号をフレキシブルケーブルを介して主印刷配線基板１８に導くようにし、記録波形成分を除去した状態での信号伝送を行なうようにしたので、フレキシブルケーブルの浮遊容量の影響を受けることなく高速でのサンプルホールドを可能として、レーザ光量や対物レンズ１５のサーボを高い信頼性を持って実現することができるようになる。
【００３５】
なお、この発明は上記した実施の形態に限定されるものではなく、この外その要旨を逸脱しない範囲で種々変形して実施することができる。
【００３６】
【発明の効果】
以上詳述したようにこの発明によれば、データ伝送路の浮遊容量の影響を受けることなく高速でのサンプルホールドを可能として、レーザ光量や対物レンズのサーボを高い信頼性を持って実現することができるようにした極めて良好な光ディスク装置及び光ヘッド装置を提供することができる。
【図面の簡単な説明】
【図１】この発明の実施の形態を示すもので、光ディスク記録再生装置の概略を説明するために示すブロック構成図。
【図２】同実施の形態における記録期間と再生期間とで光ヘッドの出力をサンプルホールドすることを説明するために示す図。
【符号の説明】
１１…光ディスク、
１２…光ヘッド、
１３…レーザダイオード、
１４…光学系、
１５…対物レンズ、
１６…フォトダイオード、
１７…Ｉ／Ｖ変換器、
１８…主印刷配線基板、
１９…サンプルホールド回路、
２０…サンプルホールド回路、
２１…レーザドライバ、
２２…アクチュエータ部、
２３…増幅器、
２４…信号再生回路、
２５…サーボ回路、
２６…レーザサーボ回路、
２７…マイクロコンピュータ、
２８…切替信号発生回路。
【図１】
0003828415.tif 000002
【図２】
0003828415.tif 000003